(57)【特許請求の範囲】
【請求項１】
複数の節から構成され、各節が元節内に収容され得る釣竿の先端部に装着される釣竿用トップカバーであって、
収納状態の釣竿の先端部を囲繞し得る筒状部と、
筒状部を上記先端部に固定するための固定部とを有し、
上記筒状部は、釣竿を構成する元節の後端部を囲繞し得る内径に設定され、
上記筒状部の外面には、滑止処理がなされていることを特徴とする釣竿用トップカバー。
【請求項２】
請求項１記載の釣竿用トップカバーにおいて、
上記固定部は、
上記筒状部に設けられ、上記元節の後端部の外面に沿って当接する当接部材と、
当接部材を上記元節の後端部に押圧する押圧部材とを備えていることを特徴とする釣竿用トップカバー。
【請求項３】
請求項２記載の釣竿用トップカバーにおいて、
上記押圧部材は、弾性バンドにより構成されていることを特徴とする釣竿用トップカバー。
【請求項４】
請求項１ないし３のいずれかに記載の釣竿用トップカバーにおいて、
上記筒状部は、元節の後端部を囲繞した状態で釣人の肘に沿って当接し得るパワーアシスト部材を備えていることを特徴とする釣竿用トップカバー。
【請求項５】
請求項４記載の釣竿用トップカバーにおいて、上記パワーアシスト部材は、上記筒状部の径方向に延びる翼状に形成されていることを特徴とする釣竿用トップカバー。
【請求項６】
請求項４または５記載の釣竿用トップカバーにおいて、上記パワーアシスト部材は、上記固定部と対向する位置に配設されていることを特徴とする釣竿用トップカバー。
【請求項７】
請求項４ないし６のいずれかに記載の釣竿用トップカバーにおいて、上記パワーアシスト部材は、上記筒状部と一体的に形成されていることを特徴とする釣竿用トップカバー。
【請求項８】
複数の節から構成され、各節が元節内に収容され得るとともに、先端部に釣竿用トップカバーが装着された釣竿であって、
上記釣竿用トップカバーは、
収納状態の釣竿の先端部を囲繞し得る筒状部と、
筒状部を上記先端部に固定するための固定部とを有し、  
上記筒状部は、釣竿を構成する元節の後端部を囲繞し得る内径に設定され、
上記筒状部の外面には、滑止処理がなされていることを特徴とする釣竿。
【発明の詳細な説明】
【０００１】
【発明の属する技術の分野】
この発明は、主として振出式の釣竿に装着される釣竿用トップカバー及びそれを用いた釣竿に関するものである。
【０００２】
【従来の技術および発明が解決しようとする課題】
たとえばサイズの大きい魚がヒットした場合に、その引張力に抗して釣竿を安定させるために、釣竿の竿尻部分にパワーアシスト部材を装着することがある。このパワーアシスト部材を装着することにより竿尻部分の外径が拡大され、いわゆるファイト時に竿尻を肘等に当接させることによって、釣竿を安定させることができるようになっている。従来では、このパワーアシスト部材は、釣竿のチューニング部品として位置づけられ、釣竿の付属品として構成されている場合もある。
【０００３】
したがって釣人は、このパワーアシスト部材を常に携行する必要があるが、これを使用しない場合は、釣行時の荷物が多くなると共に釣り場で無くしてしまうおそれもあるという不都合があった。さらに、パワーアシスト部材を付属品として設定する場合は、製品としての釣竿の部品点数が多くなるという問題もあった。
【０００４】
ところで、一般に釣竿は外径の異なる複数の棒状部材（これを「節」と呼ぶ。）を軸方向に連結して構成されるものであるが、釣竿を使用しない場合（たとえば携行時）には、外径の大きい節の内部に外径の細い節を収納して全長を短くする。この状態を、釣竿の「収納状態」と定義する。そして、携行時に各節が他の節から不用意に引き出されないようにトップカバーが取り付けられる。このトップカバーは、釣竿の収納状態において、釣竿の先端部に装着されるものである。
【０００５】
本願発明者は、この従来から用いられているトップカバーを利用して、釣竿のパワーアシスト機能を発揮させることができれば、上記問題を解決できるのではないかと考えた。
【０００６】
そこで、本発明の目的は、製品としての釣竿の部品点数を削減しつつ、パワーアシスト機能を発揮することができる釣竿用トップカバー及び釣竿を提供することである。
【０００７】
【課題を解決するための手段】
(1) 上記目的を達成するため、本願に係る釣竿用トップカバーは、複数の節から構成され、各節が元節内に収容され得る釣竿の先端部に装着される釣竿用トップカバーであって、収納状態の釣竿の先端部を囲繞し得る筒状部と、筒状部を上記先端部に固定するための固定部とを有し、上記筒状部は、釣竿を構成する元節の後端部を囲繞し得る内径に設定され、
上記筒状部の外面には、滑止処理がなされていることを特徴とするものである。
【０００８】
この構成によれば、釣竿用トップカバーは、通常、釣竿を収納した状態で筒状部を釣竿の先端部に被せ、固定部により筒状部を固定して装着されるが、当該釣竿用トップカバーの筒状部の内径が上記元節の後端部を囲繞し得るように設定されているので、釣竿を使用する際（実釣時）には、この筒状部を元節の後端部に被せることができる。しかも、上記固定部により元節の後端部に被せた筒状部を固定することができる。これにより、結果として元節の後端部の外径を大きくすることができる。また、上記筒状部の外面には、滑止処理がなされているので、実釣時に釣人の肘等を筒状部に当接させた場合に、両者間の滑りを防止することができる。
【０００９】
(2)  上記固定部は、上記筒状部に設けられ、上記元節の後端部の外面に沿って当接する当接部材と、当接部材を上記元節の後端部に押圧する押圧部材とを備えて構成することができる。
【００１０】
この構成では、当接部材を元節の後端部に沿わせることができるから、筒状部を元節の後端部の周方向について所望の位置に配置することができる。しかも、押圧部材を用いて当接部材を押圧することによって、当接部材を容易に元節に固定することができ、釣人の体格等に応じて適切な位置に筒状部を固定することができる。
【００１１】
特に上記押圧部材は、弾性バンドにより構成するのが好ましい。かかる構成とすることによって、弾性バンドを当接部材に巻き付けるだけで、筒状部を容易かつ確実に固定することができ、また、その固定解除をワンタッチで行うことが可能となる。
【００１３】
(4)  上記筒状部に、元節の後端部を囲繞した状態で釣人の肘に沿って当接し得るパワーアシスト部材を備えることもできる。
【００１４】
このようにすれば、魚がヒットした際に釣人の肘に沿ってパワーアシスト部材を当接させることができる。これにより、魚の引張力に抗して釣竿を安定して保持することができる。
【００１５】
特に、上記パワーアシスト部材は、上記筒状部の径方向に延びる翼状に形成することができる。かかる形状とすることにより、釣人の肘の部分を被うようにパワーアシスト部材を当接させることができるので、釣竿をより安定させることができる。
【００１６】
さらに、上記パワーアシスト部材は、上記固定部と対向する位置に配設するのが好ましい。このようにすれば、筒状部を挟んで固定部とパワーアシスト部材とが対向することになり、筒状部を固定する部位と釣竿を安定させる部位とが別々の位置に配置されることになる。これにより、元節の後端部におけるパワーアシスト部材の位置を変化させる際に固定部が妨げとなることはない。
【００１７】
また、上記パワーアシスト部材は、上記筒状部と一体的に形成することができる。このようにすれば、筒状部およびパワーアシスト部材の全体の剛性を高くすることができるという利点がある。
【００１８】
【発明の実施の形態】
以下、本発明の実施の形態について説明する。
＜第１の実施形態＞
図１は、本発明の第１の実施形態に係るトップカバーを備えた釣竿の正面図である。
【００１９】
この釣竿１０は、いわゆるインナーガイドタイプの振出式釣竿である。釣竿１０は、第１節１１から第５節１５により構成されており、第４節１４（すなわち元上節１４）が第５節１５（すなわち元節１５）に対して伸縮するズーム機構を搭載している。もっともこのズーム機構は任意的なものであって、当該機構をなくすこともできる。また、各節１１〜１５は、カーボンファイバーを素材とした中空パイプ状に形成されており、既知の製法により構成されている。
【００２０】
第１節１１は第２節１２の内部に引き出し自在に収容されている。また、第１節１１の先端には、釣糸が導き出されるトップガイド１６が設けられている。第１節１１の外径はテーパ状に形成されており、先端径よりも後端径の方が大きくなるように形成されている。そして、第１節１１の後端径は、第２節１２の先端径よりも大きく設定されており、第１節１１を第２節１２から引き出した際に、第１節１１の後端部分が第２節１２の先端部分とかみ合って両者が固定されるようになっている。
【００２１】
なお、第２節１２と第３節１３との関係および第３節１３と元上節１４との関係も同様である。また、第２節１２ないし元節１５の先端部には、当該部分の剛性を向上させ、隣り合う節のかみ合いを確実なものとするために、リングＲ１〜Ｒ４が装着されている。
【００２２】
第４節１４の先端部分には図示しない釣糸導入孔が設けられており、この釣糸導入孔に釣糸を導くための導入ガイド１７が取り付けれている。なお、上記トップガイド１６および導入ガイド１７は、既知の構成であるので、その詳しい説明は省略する。
【００２３】
元節１５には、リールシート１８が一体的に形成されている。このリールシート１８は、釣用リール（図示せず）を着脱自在に保持するためのものであって、釣用リールの脚部の一方を収容保持するフード１９と、脚部の他方を収容保持する可動フード２０とを備えている。可動フード２０は、リールを載置する載置面２１に沿って図中左右にスライド可能となっている。そして、可動フード２０が図中左右にスライドすることにより、可動フード２０とフード１９との間で、リール脚部を挟持して固定することができるようになっている。なお、かかるリールシート１８の構造についても既知であるので、その詳しい説明は省略する。
【００２４】
図２は、第４節１４に装着した状態でのトップカバー２２の正面図である。
【００２５】
同図に示すようにトップカバー２２は、釣竿１０を収納状態（第１節１１を第２節１２の内部に、第２節１２を第３節１３の内部に、さらに、第３節１３を第４節１４の内部に収納した状態）としたときに、第４節１４の先端部２３に装着されるようになっている。そして、これを装着することによって、後述する筒状部２４により第４節１４の先端部２３が囲繞され、収納された各節１１〜１３が不用意に突出してしまうのを防止することができる。なお、本実施形態に係る釣竿１０はズーム機構を搭載している関係上、トップカバー２２が第４節１４に取り付けられるようになっているが、ズーム機構を搭載しないタイプの釣竿の場合では、トップカバーは元節に取り付けられる。
【００２６】
図３は、元節１５に装着した状態でのトップカバー２２の正面図である。
【００２７】
本実施形態の特徴とするところはトップカバー２２の構造にあり、図３に示すように、釣竿１０の使用時（各節を伸長させた状態）に元節１５の後端部３０に装着することができるようになっている点にある。そして、このトップカバー２２によれば、元節１５に装着することによって元節１５の外径を大きくすることができ、特に魚がヒットした際に、釣人が釣竿１０を安定して保持・操作することができるようになっている。以下、トップカバー２２の構造について詳しく説明する。
【００２８】
図４は、トップカバー２２を先端部側から見た斜視図であり、図５は後端部から見た要部斜視図である。
【００２９】
トップカバー２２は、筒状部２４と固定部２５とを備えている。筒状部２４は、円筒状に形成された本体２６と、保護部材２７とを有している。また固定部２５は、断面が円弧状に形成された当接板２８（当接部材）とゴムバンド２９（押圧部材）とを有している。本実施形態では、上記本体２６と当接板２８は合成樹脂（たとえばポリカーボネート等）により一体的に形成されている。もっとも、これらを別部材として構成し、両者を既知の固着手段（接着剤等）により固着することもできる。
【００３０】
筒状部２４の本体２６は、その内径が元節１５の後端部３０の外径よりも大きくなるように設定されている。具体的には、１８ｍｍ〜２８ｍｍに設定することができる。かかる寸法に設定することにより、ほぼすべての釣竿に対応することができる。
【００３１】
また、本体２６の先端に上記保護部材２７が取り付けられている。この保護部材２７は、たとえばウレタンゴム、ニトリルゴム、エチレン・酢酸ビニル樹脂（ＥＶＡ）等により構成することができる。保護部材２７は、エンド部３１と緩衝部材３２とを有している。エンド部３１は、たとえばニトリルゴム等により構成することができる。エンド部材３１は、外面３３が曲面状に形成されており、上記本体２６に外側から嵌め込まれている。また、緩衝部材３２は、エンド部３２に連続して上記本体２６の内部に配置されている。なお、この緩衝部材３２は、特にウレタンゴム、ニトリルゴム、エチレン・酢酸ビニル樹脂（ＥＶＡ）等により構成するのが好ましく、これにより、トップカバー２２を第４節１４の先端部２３に装着した状態で各節が伸長したとしても、各節に傷等がつくのを防止することができる。
【００３２】
次に、固定部２５の当接板２８は、上記本体２６に連続して形成されている。すなわち、当接板２８は、上記本体２６の下方の一部を軸方向に延設することにより構成されており、断面が円弧状に形成されている。そして、その曲率半径は、上記本体２６の曲率半径と同一である。
【００３３】
図５に示すように、当接板２８の背面部３４には上記ゴムバンド２９を固定するための座部３５が設けられている。この座部３５は、当接板２８と一体的に形成されている。もっとも、座部３５を別部材として構成し、これを当接板２８に取り付けることもできる。
【００３４】
座部３５は略矩形のブロック状に形成されており、ゴムバンド２９を保持するための保持部３７が形成されている。この保持部３７は、座部３５の内部に区画形成され、側面３６に開口３８を有する収容空間として構成されている。したがって、ゴムバンド２９は、その基端部が上記開口から保持部３７内に挿入されて保持固定されており、座部３５の側面３６から外部に突出した状態となっている。
【００３５】
座部３５の上面３９には、ゴムバンド２９の先端部４１を係止するための係止片４０が形成されている。この係止片４０は、座部３５と一体的に形成されており、その先端部に所定外径の円盤状部材４２が形成されている。この円盤状部材４２の外径は、後述するゴムバンド２９に設けられた係止孔４３の内径よりも大きくなるように設定されている。
【００３６】
また、ゴムバンド２９は、図に示すような薄肉の帯状に形成されており、たとえばニトリルゴムにより構成することができる。もっとも、ゴムバンド２９は、ニトリルゴムに限定されるものではなく、これに相当する弾性を有するものであれば他の材料により構成することができる。さらに、ゴムバンド２９の先端部４１には、係止孔４３が設けられている。これにより、上記座部３５から突出したゴムバンド２９を巻回し、係止孔４３と上記円盤状部材４２とを係合させることにより、ゴムバンド２９を巻回した状態に維持することができる。
【００３７】
また、上記筒状部２４の外面、すなわち上記本体２６の外面４４および当接板２８の外面４５には、滑止処理がなされている。本実施形態では、これら外面４４，４５に滑止部材４６が設けられている。この滑止部材４６は、たとえばスクリーンインクを採用することができ、これが上記外面４４，４５に塗布されている。
【００３８】
なお、滑止部材４６として、スクリーンインクの塗布に代えて、ゴム系樹脂（ウレタン樹脂、ニトリルゴム等）を採用することができる。そして、滑止部材４６を別部材として構成し、これを上記外面４４，４５に取り付けることができる。また、所要の材料により滑止部材４６を別部材として構成し、これに上記ゴム系樹脂をコーティングすることもできる。
【００３９】
滑止部材４６は、たとえば細長の略半円柱状に形成することができる。滑止部材４６が上記外面４４，４５に設けられることにより、結果として当該外面４４，４５に凸部が形成され、粗面が構成される。滑止部材４６は、長さ寸法Ｌを約２５ｍｍ〜７０ｍｍ程度に設定することができ、また、図に示すように、本体２６および当接板２８の長手方向に沿って整列配置されている。
【００４０】
なお、滑止部材４６は、本実施形態のように間欠的に形成するほかに、長手方向に沿って連続させることもできる。また、滑止部材４６を図に示すように本体２６および当接板２８の長手方向に沿って配置するほかに、周方向に沿って配置することもできる。要するに、滑止部材４６を設けることによって、上記外面４４，４５を粗面に形成することができればよい。
【００４１】
本実施形態によれば、トップカバー２２は、通常、図２に示すように、釣竿１０を収納した状態で筒状部２４が第４節１４の先端部２３に被せられ、固定部２５を用いて筒状部２４が固定される。この場合、筒状部２４の固定の仕方は、当接板２８を第４節１４の先端部２３の外面に当接させ、その状態でゴムバンド２９を引っ張りながら第４節１４に巻き付ける。これにより、当接板２８が第４節１４に押圧された状態で固定される。そして、ゴムバンド２９の係止孔４３に当接板２８に設けられた係止片４０を挿入することによって、当接板２８の固定状態、すなわちトップカバー２２の固定状態が維持される。
【００４２】
また、トップカバー２２の筒状部２４の内径が元節１５の後端部３０の外径よりも大きく設定されているから、図３に示すように、釣竿１０の使用時（実釣時）には、この筒状部２４を元節１５の後端部３０に被せ、筒状部２４によって当該後端部３０を囲繞することができる。しかも、上記固定部２５によって、元節１５の後端部３０に筒状部２４を固定することができる。この固定の仕方は、上述した第４節１４の先端部２３へのトップカバー２２の固定方法と同様であり、当接板２８を元節１５の後端部３０の外面に当接させ、その状態でゴムバンド２９を引っ張りながら元節１５に巻き付ければよい。
【００４３】
このように筒状部２４を元節１５の後端部３０に被せることにより、結果として元節１５の後端部３０の外径を大きくすることができる。これにより、釣人が釣竿１０の後端部（竿尻部分）をしっかりと把持することができるし、また、釣竿１０を操作する際に、釣尻部分を肘等に安定して当接させることができるので、釣竿１０を操作・保持するためのパワーアシストを行うことができる。その結果、サイズの大きな魚がヒットした場合であっても釣竿１０を安定して操作・保持することができる。
【００４４】
また、本実施形態では図４に示すように、固定部２５は、湾曲形成された当接板２８を備えているので、当接板２８を元節１５の後端部３０の外面の所望の位置に容易に沿わせることができる。したがって、筒状部２４を元節１５の後端部３０の周方向について所望の位置に配置することができ、釣人の体格等に応じて適切な位置に筒状部２４を固定することができる。
【００４５】
しかも、ゴムバンド２９を用いて当接板２８を元節１５に押圧することによって、当接板２８を簡単な操作で確実に固定することができるという利点もある。さらに、ゴムバンド２９を採用しているので、当接板２８の固定解除も簡単であるという利点もある。なお、本実施形態では、当接板２８を元節１５に押圧固定するためにゴムバンド２９を採用しているが、これに代えて、たとえば当接板２８と元節１５とを挟持することによって、両者を押圧固定する挟持部材等を採用することもできる。
【００４６】
特に本実施形態では、筒状部２４に上述した滑止処理が施されているので、実釣時に釣人の肘等を筒状部２４に当接させた場合に、両者間の滑りを防止することができる。これにより、釣人が釣竿１０を保持するためのパワーアシストをさらに効果的に行うことができ、魚がヒットした場合であっても釣竿１０をより安定して保持することができる。なお、この滑止処理は省略することもできる。
＜第２の実施形態＞
次に、本発明の第２の実施形態について説明する。
【００４７】
図６は、本発明の第２の実施形態に係るトップカバー５０の斜視図である。
【００４８】
本実施形態の特徴とするところは、上記第１の実施形態に係るトップカバー２２にパワーアシスト部材５１が設けられている点である。なお、その他の構成は第１の実施形態に係るトップカバー２２と同様であるので、詳しい説明は省略する。
【００４９】
図６に示すように、パワーアシスト部材５１は筒状部２４と一体的に形成されている。このようにすれば、筒状部２４およびパワーアシスト部材５１の全体の剛性を高くすることができるという利点がある。もっとも、パワーアシスト部材５１を別部材として構成し、これを筒状部２４に固定するようにしてもよい。
【００５０】
パワーアシスト部材５１は、トップカバー５０を元節１５の後端部３０に取り付けた状態で、釣人の肘に沿ってぴったりと当接する形状となっている。本実施形態では、図に示すように翼状に形成されている。すなわち、パワーアシスト部材５１は、取付部５２と、基部５３と、翼部５４，５５とを備えている。これら各部は一体的に形成されている。
【００５１】
取付部５２は、筒状部２４の外周面に沿って形成され、この取付部５２の上面に連続するように基部５３が形成されている。基部５３はわずかに湾曲されており、釣人の肘と良好に当接できるようになっている。また、翼部５４，５５は、基部５３の両側（筒状部２４の径方向）にそれぞれ連続し、上方へ大きく湾曲している。この翼部５４，５５により、基部５３に当接させた釣人の肘の両側をサポートすることができる。なお、本実施形態では、上記取付部５２を設けることにより、パワーアシスト部材５１の剛性を向上させることができるが、取付部５２を省略して基部５３および翼部５４，５５を直接筒状部２４に設けることもできる。
【００５２】
さらに、パワーアシスト部材５１は、筒状部２４の上方、すなわち、固定部２５が設けられている側と反対側（固定部２５と対向する位置）に形成されている。この位置にパワーアシスト部材５１を配設したことによる作用効果については後述する。
【００５３】
本実施形態によれば、上記第１の実施形態で説明した要領でトップカバー５０を元節１５の後端部３０に取り付けることができる。そして、魚がヒットした際には、釣人の肘に沿ってパワーアシスト部材５１を当接させることができる。これにより、竿尻部分をパワーアシスト部材５１を介して釣人の肘で保持することができるので、魚の引張力に抗して釣竿１０を安定して保持することができる。
【００５４】
特に、パワーアシスト部材５１は、筒状部２４の径方向に延びる翼状に形成されており、釣人の肘全体を被うことができる。つまり、竿尻部分をパワーアシスト部材５１を介して釣人の肘全体で保持することができるので、魚の引張力に抗して釣竿１０をより安定させることができる。
【００５５】
さらに、パワーアシスト部材５１は、固定部２５と対向する位置に配設されているので、筒状部２４を挟んで固定部２５とパワーアシスト部材５１とが対向することになる。このため、筒状部２４を固定する部位と釣竿１０を安定させる部位とが別々の位置に配置されることになるので、元節１５の後端部３０におけるパワーアシスト部材５１の位置を変化させる際に、固定部２５自身が妨げとなることはない。よって、釣人の体格等に合わせて、もっとも適切な位置にパワーアシスト部材５１を配置することができる。
【００５６】
なお、本実施形態では、第１の実施形態で示した滑止部材４６を省略しているが、第１の実施形態と同様に筒状部２４等に滑止部材を設けることができるのは勿論である。
【００５７】
また、上記各実施形態では、インナーガイドタイプの釣竿１０に装着するトップカバー２２，５０として説明したが、アウターガイドタイプの釣竿にも適用することができるのは勿論である。
【００５８】
【発明の効果】
以上のように本願発明によれば、釣竿収納時に元節の先端部に取り付ける釣竿用トップカバーを実釣時において元節の後端部に装着することによって、元節の後端部の外径を大きくすることができる。これにより、釣人が釣竿を保持するためのパワーアシストを行うことができ、魚がヒットした場合であっても釣竿を安定して保持することができる。特に、このトップカバーにパワーアシスト部材を設けることにより、実釣時においてより安定して釣竿を保持することができる。
【００５９】
このように、トップカバーとして用いていた部品をパワーアシストのための部品として共用するので、従来別部品として設定されていたパワーアシスト部材を別部品または付属品として設定する必要がなく、製品としての釣竿の部品点数を抑えることができる。その結果、実釣時にはトップカバーをなくさないように保管しなければならないという煩わしさもなくすことができる。
【図面の簡単な説明】
【図１】本発明の第１の実施形態に係るトップカバーを備えた釣竿の正面図である。
【図２】本発明の第１の実施形態に係るトップカバーを第４節に装着した状態を示す要部正面図である。
【図３】本発明の第１の実施形態に係るトップカバーを元節に装着した状態を示す要部正面図である。
【図４】本発明の第１の実施形態に係るトップカバーを先端部側から見た斜視図である。
【図５】本発明の第１の実施形態に係るトップカバーを後端部側から見た斜視図である。
【図６】本発明の第２の実施形態に係るトップカバーの斜視図である。
【符号の説明】
１０  釣竿
１４  第４節
１５  元節
２２  トップカバー
２３  先端部
２４  筒状部
２５  固定部
２６  本体
２８  当接板
２９  ゴムバンド
３０  後端部
３４  背面部
３５  座部
３６  側面
３７  保持部
３８  開口
３９  上面
４０  係止片
４２  円盤状部材
４３  係止孔
４４  外面
４５  外面
４６  滑止部材
５０  トップカバー
５１  パワーアシスト部材
５３  基部
５４  翼部
５５  翼部
【図１】
0003779588.tif 000002
【図２】
0003779588.tif 000003
【図３】
0003779588.tif 000004
【図４】
0003779588.tif 000005
【図５】
0003779588.tif 000006
【図６】
0003779588.tif 000007